(57)【特許請求の範囲】
【請求項１】
装置本体の改札通路に沿って配列される通行位置検知用の位置検知センサ群及び前記装置本体の入口近傍、中央部及び出口近傍にそれぞれ設置される大人検知用の高さ検知センサと、
前記各高さ検知センサの設置位置と特定の前記位置検知センサとの対応関係を規定する大人判定位置データ記憶手段と、
利用客が前記特定の位置検知センサの設置位置を通過したとき、前記大人判定位置データ記憶手段に規定する対応関係を有する各高さ検知センサの出力から大人であるかを判定し、その判定結果から大人であり、かつ提示された媒体の不正、媒体の不提示などに基づき、無礼な大人の利用客であるかを判定する処理制御部とを備え、
前記処理制御部は、所定のサンプリング周期ごとの前記位置検知センサの出力変化から利用客の通行を検知するともに、当該利用客が前記各特定の位置検知センサの設置位置を通過したとき、前記大人判定位置データ記憶手段に規定する対応関係を有する各高さ検知センサの出力から大人であるかを判定する大人判定手段と、大人の利用客と判定され、かつ当該利用客が提示された媒体の不正、媒体の不提示などに対して予め定めた無礼な判定ポイントに到達したとき、無礼な大人の利用客である判定する無礼客判定処理手段と、この無礼客判定処理手段で無礼な大人の利用客と判定されたとき、何れの前記高さ検知センサの出力から大人と判定されたかを確認し、出口側ドアの開閉制御を行うドア動作処理制御手段とを備え、
前記ドア動作処理制御手段は、前記入口近傍、前記中央部に設置される前記高さ検知センサの出力から無礼な大人の利用客と判定されたとき前記出口側ドアを閉制御し、前記入口近傍及び前記中央部に設置される前記高さ検知センサの出力から無礼な大人の利用客と判定されずに前記出口近傍の前記高さ検知センサの出力から無礼な大人の利用客と判定されたとき、出口側ドアを閉めずに無礼な大人の利用客であることを報知する報知手段をさらに設けた自動改札装置。
【請求項２】
請求項１に記載の自動改札装置において、
前記報知手段は、下記の何れか１種類以上により無礼な大人の利用客であることを報知する自動改札装置。
（１）  予め定めた警報メッセージを音声発生器から出力する。
（２）  白色ランプまたは赤色ランプを点滅制御する。
（３）  状態表示部に不正者であることを表示する。
【発明の詳細な説明】
【技術分野】
【０００１】
本発明の実施形態は、自動改札装置に関する。
【背景技術】
【０００２】
鉄道などの交通機関の各駅に設置される自動改札装置には、改札通路を通行する利用客が大人か否かを判定するために、装置筐体上部に高さ検知センサが設置されている。
【０００３】
ところで、従来の一般的な自動改札装置は、利用客の進行方向に対して、装置筐体上部の中央部より上流側（例えば改札入側）に高さ検知センサを設置し、この高さ検知センサの出力から利用客が大人か否かを判定するか、あるいは装置筐体上部の上流側及び中央部の２箇所に高さ検知センサを設置し、これら高さ検知センサの出力から利用客が大人か否かを判定している。
【０００４】
近年、改札入側（駅構外側）及び改札出側（駅構内側）の両方向から通行できる両方向改札併用機として使用する自動改札装置が考えられている。この自動改札装置は、駅構内側から通行してくる利用客を検知するため、さらに改札入側とは反対側にも高さ検知センサが設置されている。
【０００５】
しかし、このように自動改札装置は、何れの方向からも利用客の入側近傍及び中央部の高さ検知センサが大人検知用に利用しているが、利用客の出側近傍の高さ検知センサは大人の判定用には利用されていない。
【先行技術文献】
【特許文献】
【０００６】
【特許文献１】特開２００５−３１８４１号公報
【特許文献２】特開２０１０−１４０４３９号公報
【発明の概要】
【発明が解決しようとする課題】
【０００７】
本発明が解決しようとする課題は、利用客出口側の高さ検知センサについても大人検知用に利用して大人の判定ミスを低減し、かつ、出口側の高さ検知センサを介して大人の無礼者と判定されたときに利用客の危険を回避しつつ無礼であることを報知する自動改札装置を提供することである。
【課題を解決するための手段】
【０００８】
上記課題を解決するために、発明の実施形態によれば、装置本体の改札通路に沿って配列される通行位置検知用の位置検知センサ群及び前記装置本体の入口近傍、中央部及び出口近傍にそれぞれ設置される大人検知用の高さ検知センサと、前記各高さ検知センサの設置位置と特定の前記位置検知センサとの対応関係を規定する大人判定位置データ記憶手段と、前記利用客がそれぞれ前記特定の位置検知センサの設置位置を通過したとき、前記大人判定位置データ記憶手段で規定される対応関係を有する各高さ検知センサの出力から大人であるかを判定し、この判定結果から大人であり、かつ提示された媒体の不正、媒体の不提示などに基づき、無礼な大人の利用客かを判定する処理制御部とを備えた自動改札装置である。
【図面の簡単な説明】
【０００９】
【図１】実施形態に係る自動改札装置の構成を概略的に示す斜視図。
【図２】実施形態に係る改札通路を挟んで２個の装置本体にそれぞれ設置される位置検知センサ及び高さ検知センサの設置例を説明する図。
【図３】実施形態に係る自動改札装置の処理制御系を示すブロック構成図。
【図４】実施形態に係る図３のＲＡＭに設けられる管理テーブル及び警報メッセージ記憶部を示す図。
【図５】実施形態に係る利用客の通過位置と位置検知センサの状態変化の遷移を示す図。
【図６】実施形態に係る処理制御部での大人判定処理手段を説明するフロー図。
【図７】実施形態に係る処理制御部での無礼客判定処理手段を説明するフロー図。
【図８】実施形態に係る処理制御部でのドア動作処理制御手段を説明するフロー図。
【発明を実施するための形態】
【００１０】
以下、実施の形態について図面を参照して説明する。  
図１は本実施の形態に係る鉄道関係の駅に設置される自動改札装置の構成を概略的に示す図である。自動改札装置１は、通常，２台の装置本体２が所定間隔を有して駅の改札口などに設置され、両装置本体２間に利用客の通行可能な改札通路３が形成される。
【００１１】
装置本体２上面の一端部には、例えば有効期間や利用可能区間などの改札情報が記録される磁気式乗車券（入場券、普通乗車券，定期券，回数券、プリペイドカードなど）が投入される投入口４が設けられている。なお、投入口４には、必要に応じて開閉するシャッタ５（図３参照）が設けられている。
【００１２】
また、装置本体２上面の他端部には、投入口４から投入された磁気式乗車券等を必要に応じて排出する取出口６が設けられている。
【００１３】
装置本体２上面の投入口４前方にはアンテナ７が設けられている。アンテナ７は、例えばループ状アンテナなどで構成され、利用客が所持する無線式カード（ＩＣカードなど）をアンテナ７に向けてかざしたとき、無線式カードに記録されるデータを無線通信により受信したり、無線式カードに対して必要なデータを送信して書込んだり、書替え可能な機能を持っている。以下、磁気式乗車券や無線式カードを媒体と総称する。
【００１４】
さらに、装置本体２上面の取出口６近傍に利用客や駅員などに対して各種案内を行う案内表示部８が設けられている。
【００１５】
また、装置本体２の改札通路３側面の両端部には、それぞれ利用客の通行を制御するドア９，９が設けられており、通行可否の判定結果に基づいて開閉制御されるようになっている。
【００１６】
装置本体２の改札通路３側面には、スピーカなどの音声発生器１０の他、利用客の通過を追従検知する光センサからなる位置検知センサ１１〜３６が改札通路３方向に沿って配列されている。
【００１７】
また、装置本体２上部の改札通路３とは反対面側から上部方向に突き出すようにフレーム３７が設けられている。フレーム３７の改札通路３の面側には、上流側となる入口側、中央部及び下流側となる出口側にそれぞれ高さ検知センサ４１、４２及び４３が設けられている。
【００１８】
さらに、フレーム３７上部の取出口６近傍部には、本装置の動作状態（小児券の投入、無効券の投入、機器の異常など）を表示する状態表示部３８が設けられている。
【００１９】
次に、図２は位置検知センサ１１〜３６及び高さ検知センサ４１〜４３の設置例を説明する図である。
【００２０】
位置検知センサ１１〜３６は利用客の通行位置を追従可能な透過型の光センサであって、一方の装置本体２の改札通路面側に所定間隔を有して直線状に配列される投光素子１１ａ〜３６ａと、改札通路３を挟んで設置される他方の装置本体２の同一改札通路面側に投光素子１１ａ〜３６ａと対向する状態で配列される受光素子１１ｂ〜３ｂとによって構成される。図中のＬ１は、投光素子１１ａ〜３６ａから受光素子１１ｂ〜３ｂへ投光される光の光軸を示している。
【００２１】
これら位置検知センサ１１〜３６の各センサ間の間隔は、利用客の胴体の前後幅よりも小さな間隔，例えば８ｃｍに設定されている。その結果、隣接する２つの受光素子１１ｂ〜３ｂが利用客によって遮光されて暗となったとき、管理対象となる利用客の検知信号を出力する。
【００２２】
一方、高さ検知センサ４１〜４３は、大人を判定するための反射型の光センサである。高さ検知センサ４１は自動改札装置１の一端側（例えば改札入側付近）に設けられ、高さ検知センサ４２は自動改札装置１の中央部付近に設けられ、高さ検知センサ４３は自動改札装置１の他端側（例えば改札出側付近）に設けられている。図中のＬ２は、高さ検知センサ４１〜４３の光軸を示している。
【００２３】
これら高さ検知センサ４１〜４３は、斜め上方へ光を投射し、その反射光を受光することにより、利用客が大人であると検知する。例えば利用客の身長が所定の高さ（床面から略１２５ｃｍ）以上のときは両方の装置本体２，２側のセンサが利用客からの反射光を検知するので、利用客は大人であると判定する。また、利用客の身長が所定の高さ（１２５ｃｍ）未満のときは、何れか一方、または双方の装置本体２，２側のセンサが利用客からの反射光を検知しなくなるので、利用客は小児であると判定する。
【００２４】
図３は自動改札装置の制御処理系統を概略的に示す構成図である。
【００２５】
この自動改札装置１はＣＰＵで構成される処理制御部５１が設けられ、この処理制御部５１には、ＲＯＭ５２、ＲＡＭ５３、運賃メモリ５４、シャッタ制御部５５、センサ監視部５６、ドア開閉駆動部５７に開閉駆動指示を出すドア開閉制御部５８、表示制御部５９、音声出力制御部６０及び無線通信制御部６１が接続されている。Ｃは媒体の一種となる無線式カードである。
【００２６】
処理制御部５１は、本装置全体の処理制御を司るものであって、例えば図６〜図８に示す処理手順に従い、大人判定手段５１ａ、無礼客判定処理手段５１ｂ及びドア動作処理制御手段５１ｃを実行する。
【００２７】
大人判定手段５１は、予め定めるサンプリング周期ごとに位置検知センサ１１〜３６の出力情報を取り込んで利用客（管理対象）を割り出し、かつ、位置検知センサ１１〜３６の出力から利用客の現在位置が高さ検知センサ例えば４１の設置位置を通過したとき、当該高さ検知センサ４１の出力から大人の有無を判定する。
【００２８】
無礼客判定処理手段５１ｂは、利用客が大人であって、適正な媒体Ｃが提示されておらず、かつ予め定める無礼とする判定ポイントに到達しているとき、無礼利用客であると判定する。
【００２９】
ドア動作処理制御手段５１ｃは、高さ位置センサ４１，４２を通過した際に無礼な大人と判定したとき、出側ドア９を閉制御するが、最も下流の出側の高さ位置センサ例えば４３で初めて無礼な大人と判定したとき、無礼な利用客が危険であるので、出側ドア９を動作させずに無礼であることを報知する機能を持っている。
【００３０】
なお、大人判定手段５１、無礼客判定処理手段５１ｂ及びドア動作処理制御手段５１ｃについては、図６〜図８で詳細に説明する。
【００３１】
ＲＯＭ５２には、処理制御部５１による処理手順（処理制御プログラム）などが記憶される。ＲＡＭ５３は、処理制御部５１において制御処理上必要なデータの他、処理過程で発生するデータを一時的に記憶する。
【００３２】
ＲＡＭ５３には、少なくとも図４に示す管理テーブル５３ａ及び無礼な利用客に対して警報を報知する警報メッセージデータを記憶する音声メッセージ記憶部５３ｂの他、ドア９の動作状態を規定するフラグを格納するドア動作フラグ記憶部（図示せず）が設けられている。
【００３３】
管理テーブル５３ａには、次のような管理項目データが記録される。管理項目データとしては、例えば、媒体Ｃの識別情報ないし媒体種別を記録する管理番号項目、利用客の通行に伴って暗となった位置検知センサ１１〜３６の前端・後端センサ番号を記録する利用客の現在位置項目、改札入側方向（駅構内方向）及び改札出側方向（駅構外方向）を表す識別データを記録する通行方向、媒体Ｃから利用客が大人か否かを識別して格納する大人・小児フラグ項目、大人判定位置項目などが挙げられる。
【００３４】
大人判定位置項目としては、自動改札装置１の入側付近（例えば上流側）、自動改札装置１中央部付近、自動改札装置１の出側付近（例えば下流側）に高さ検知センサ４１、４２、４３が設置されているので、これら高さ検知センサ４１、４２、４３の設置位置と対応付けるために、位置検知センサ１１〜３６の設置位置を表す各センサ番号と高さ検知センサ４１、４２、４３との対応関係が規定されている。
【００３５】
例えば、高さ検知センサ４１がセンサ番号１２と１３との間に設置されている場合、利用客の通行によって少なくとも位置検知センサ１２，１３を含むセンサ群が暗となっていれば、高さ検知センサ４１の出力から大人であると判定することが可能である。この場合、大人判定位置項目に掲げる高さ検知センサ４１には「１」が設定される。
【００３６】
運賃メモリ５４は、料金計算などを行うための運賃データが記憶される。シャッタ制御部５５は、投入口４に設けられたシャッタ５を開閉駆動制御する。センサ監視部５６には、位置検知センサ１１〜３６及び高さ検知センサ４１〜４３が接続され、利用客の通行に追従して暗となるセンサ情報（センサ番号）を取り込み、管理テーブル５３ａの前端・後端センサ番号を更新する。また、センサ監視部５６は、高さ検知センサ４１〜４３から大人の利用客であると検知すると、管理テーブル５３ａの大人判定位置の高さ検知センサ、例えば４１の領域に「１」を設定する。
【００３７】
ドア開閉制御部５８は、ドア開閉駆動部５７によるドア９の開閉駆動を制御する。表示制御部５９は、案内表示部８及び状態表示部３８などに処理内容を表示する。音声出力制御部６０は、無礼のまま通過しようとしたとき、音声発生器１０から警報メッセージを発生する。
【００３８】
無線通信制御部６１は、アンテナ７の送受信パワーなどを制御したり、アンテナ７から送信するデータを変調したりする。
【００３９】
さらに、処理制御部５１には、搬送制御部６３、読取回路６４、書込回路６５が接続されている。
【００４０】
搬送制御部６３は、磁気式媒体（図示せず）を搬送経路に沿って搬送するための搬送ローラや搬送ベルトを駆動する搬送用モータなどの各種搬送機構６６の駆動を制御する。読取回路６４は、磁気式媒体の裏面の磁気記録層に記録されているエンコード磁気情報を読み取る読取ヘッド６７の駆動を制御する機能を有する。書込回路６５は、磁気式媒体の磁気記録層に対してエンコード磁気情報を記録する書込ヘッド６８の駆動を制御する機能を有する。
【００４１】
図５は利用客の通行位置と位置検知センサ１１〜３６による暗状態の変化との関係を説明する図である。
【００４２】
位置検知センサ１１〜３６は、通行方向に沿って例えば８０ｍｍ以下の間隔で配置されていれば、人間が少なくとも連続した２個以上の位置検知センサを遮へいした状態で通行していることになる。このことは、利用客の通行に伴って少なくとも２個の位置検知センサ、例えば１１，１２が遮光されて暗状態の出力となれば、管理対象となる利用客が通行したと捉えることができる。
【００４３】
そこで、利用客の通行時、前回の暗状態となった位置検知センサの一部と今回の暗状態となる位置検知センサの一部とが重なり合う程度のサンプリング周期（例えば５ｍｓ）ごとに位置検知センサ１１〜３６の出力（暗状態の変化）を検知すれば、利用客の通行に伴って暗状態の一部が重なり合いながら移動していることが判る。
【００４４】
その結果、管理テーブル５３ａの現在位置のセンサ番号とサンプリング周期後に暗状態となっているセンサ番号とのＡＮＤを取れば、前回と重なりのあるセンサ番号を含む変化後の暗状態の位置検知センサのセンサ番号を用いて、管理テーブル５３ａの現在位置項目欄の前端センサ番号及び後端センサ番号を順次更新していけば、利用客の移動位置を追跡することができる。
【００４５】
そして、利用客の移動追跡時、利用客が各高さ検知センサ４１〜４３と対応関係にある位置検知センサのセンサ番号の設置位置を通過した後、該当する高さ検知センサ例えば４１の反射光の受光有無状態を検知すれば、少なくとも高さ検知センサ４１にて大人が通行しているかを判定することが可能である。
【００４６】
次に、以上のように構成された自動改札装置の処理手順について図６ないし図８を参照して説明する。
【００４７】
自動改札装置１における処理制御部５１は、改札受付の待機状態に入ると、大人判定手段５１を実行する。
【００４８】
大人判定手段５１は、図６に示すように、予め定める所定のサンプリング周期に達したか否かを判断する（Ｓ１）。所定のサンプリング周期に達したとき、センサ監視部５６を介して位置検知センサ１１〜３６から明・暗によるセンサ情報を取出し、改札通路３を通行する管理対象（利用客）の割り出しを行った後（Ｓ２）、管理テーブル５３ａの現在位置項目に例えば前端センサ番号及び後端センサ番号などのセンサ情報を新規に登録するか、または既に前回の前端・後端センサ番号が登録済みの場合は今回取得した位置検知センサ１１〜３６の出力センサ情報から利用客の現在位置となる前端・後端センサ番号を取出して更新する（Ｓ３）。
【００４９】
しかる後、大人判定手段５１は、前端センサ番号と後端センサ番号との範囲が大人判定位置を含む位置に有る時（Ｓ４）、高さ検知センサ４１〜４３を参照して大人と判定する（Ｓ５）。ここで、利用客が大人であると判定したとき、例えば管理テーブル５３ａの大人判定位置項目の高さ検知センサ４１に「１」をセットする（Ｓ６）。
【００５０】
しかる後、大人判定手段５１は、後続の利用客が別の管理テーブル（図示せず）に管理対象者として登録されているか、つまり管理対象数分の大人判定が完了したか否かを判断し（Ｓ７）、管理対象数分の大人判定が未完了のとき、ステップＳ３に戻り、同様の処理を繰り返し実行し（Ｓ３〜Ｓ７）、管理対象数分の大人判定が完了している場合には無礼客判定処理手段５１ｂを実行する
無礼客判定処理手段５１ｂは、無礼客判定処理が開始すると、無礼な大人の利用客か否かを判定する。ここで、無礼な利用客とは、例えば利用客が媒体Ｃを提示しない狭義の無礼客や提示された媒体Ｃが利用できない不正な媒体である無効客が考えられる。
【００５１】
なお、以下、説明の便宜上、無線式媒体Ｃを例に説明するが、特別な場合を除いて磁気式等の媒体も無線式媒体Ｃに含んで説明しているものとする。
【００５２】
無礼客判定処理手段５１ｂは、具体的には図７に示すように、既に管理対象となる利用客が通行しているので、ＲＡＭ５３内のドア動作フラグ記憶部にドア動作禁止フラグが設定されている場合には当該ドア動作禁止フラグをクリアする（Ｓ１１）。
【００５３】
しかる後、無礼客判定処理手段５１ｂは、管理対象が大人（ステップＳ４参照）であるか（Ｓ１２）、利用客から真正な媒体Ｃが提示されたかを判断する（Ｓ１３）。ここで、管理対象が大人であり、かつ、当該大人の利用客から真正な媒体の提示がないとき、予め定められる無礼とする判定位置に到達したかを判断する（Ｓ１４）。ここで、大人の利用客が無礼とする判定位置に達していれば、無礼な大人の利用客と判定する。
【００５４】
無礼客判定処理手段５１ｂは、引き続き、無礼な大人の利用客と判定された場合、何れの高さ検知センサ４１〜４３の出力から大人検知されたかを判断する（Ｓ１５）、ここで、入口近傍及び中央部に設置される高さ検知センサ４１，４２で大人検知されたとき、ドア閉動作指示を出す（Ｓ１６）。
【００５５】
一方、装置本体２の出口近傍に設置される高さ検知センサ４３で大人検知と判断されたとき、ドア動作フラグ記憶部にドア動作禁止フラグをセットする（Ｓ１７）。一方、利用客が大人でないとか、大人であるが真正な媒体を提示されているとか、未だ無礼とする判定位置に到達していないときにはドア開動作指示を出す（Ｓ１８）。
【００５６】
そして、ステップＳ１９に移行し、管理テーブル５３ａ数分の利用客に関して無礼客の判定が行われたかを判断する。ここで、未だ未判定の管理テーブル５３ａが存在すれば、ステップＳ１２に戻って一連の処理を繰り返し実行し（Ｓ１２〜Ｓ１９）、全管理テーブル数分の無礼客に関する判定が完了した場合にはドア動作処理制御手段５１ｃを実行する。
【００５７】
このドア動作処理制御手段５１ｃは、図８に示すように、ドア動作処理制御が開始すると、ドア動作フラグ記憶部のデータからドア動作禁止か否かを判断する（Ｓ２１）。ドア動作フラグ記憶部にドア動作禁止フラグが設定されていないとき、ドア閉動作指示（Ｓ１６）有りで、かつ出口側ドア９現在開かを判断し（Ｓ２２）、ＹＥＳの場合にはドア閉制御信号をドア開閉制御部５８に送出する。
【００５８】
ドア開閉制御部５８は、受け取ったドア閉制御信号に基づき、ドア開閉駆動部５７を介して出口側ドア９を閉制御し、現在のドア状態を閉とする（Ｓ２３）。つまり、ステップＳ１５において、入口側近傍及び中央部側の高さ検知センサ４１，４２で不正な大人の利用客と判定したとき、出口側ドア９を閉じ、不正な利用客の出口通行を阻止する。
【００５９】
また、ドア動作処理制御手段５１ｃは、ステップＳ２２にてドア閉動作指示、かつ出口側ドア９現在開でない場合にはドア開動作指示（Ｓ１１）であって、かつ出口側ドア９現在閉かを判断し（Ｓ２４）、ＹＥＳの場合にはドア開制御信号をドア開閉制御部５８に送出し、ドア開閉駆動部５７を介して出口側ドア９を開制御する（Ｓ２５）。すなわち、不正な利用客でない場合及び小児の場合、出口側ドア9を開けて利用客を通す。
【００６０】
さらに、ステップＳ２１において、出口近傍の高さ検知センサ４３にて大人検知され、かつドア動作フラグ記憶部にドア動作禁止フラグが設定されているので（Ｓ１７）、無礼な大人の利用客と判断するが、出口側ドア９を閉じることなく、音声メッセージ記憶部５３ｂから警報メッセージデータ、例えば「券をお確かめ下さい」なる警報メッセージデータを読み出し、音声出力制御部６０に送出する。ここで、音声出力制御部６０は、受け取った警報メッセージデータを音声発生器１０から音声出力する（Ｓ２６）。これは、無礼な大人の利用客であるが、既に出口側近傍を通行しているので、この段階で出口側ドア９を閉じると、利用客が出口側ドア９に接触するか、ドア接触によって転倒する危険が予想されるので、音声によって無礼な利用客であることを報知するものである。
【００６１】
さらに、ドア動作処理終了を確認後（Ｓ２７）、図６のスタート（開始）に移り、一連の処理手順を繰り返し実行する。
【００６２】
従って、以上のような実施の形態によれば、装置本体２の入口近傍及び中央部側の高さ検知センサ４１、４２だけでなく、出口近傍の高さ検知センサ４３を含めて、改札通路３を通行する利用客が大人か否かを判定するので、大人の判定ミスを低減できる。
【００６３】
また、入口近傍及び中央部側の高さ検知センサ４１、４２で大人と検知できなくても、出口近傍の高さ検知センサ４３の出力から無礼な大人の利用客と判定したとき、出口ドア９を閉じることなく警報を発するので、利用客が急に閉じるドア９に接触するとか、接触して転倒する危険を回避しつつ、無礼な大人の利用客に対して警報を出力することで一定の心理的な負担を与えることができる。なお、故意による不正行為でない場合もありうるので、例えば、「券をお確かめ下さい」なる警報メッセージを出力し、利用客に不信感を与えないようにする。
【００６４】
（その他の実施形態）
（１）  上記実施の形態では、図１に示す改札通路３の矢印のように一方向通行の自動改札装置について説明しているが、両方向改札併用の自動改札装置であっても同様に高さ検知センサ４１〜４３を用いて、大人検知及び無礼な大人の利用客を判定することが可能である。
【００６５】
（２）  上記実施の形態では、出口近傍の高さ検知センサ４３の出力から無礼な大人の利用客と判定されたとき、警報メッセージ記憶部５３ｂから警報メッセージを読み出し、音声発生器１０から無礼な大人の利用客であることの警報メッセージを出力するようにしたが、例えば装置本体２に設置される既設の白色ランプまたは赤色ランプを所定の周期で点滅させることにより、無礼な大人の利用客に対する報知としてもよい。
【００６６】
また、装置本体２に新たに警報用の白色ランプまたは赤色ランプを設置し、前述同様に所定の周期で点滅させる構成であってもよい。
【００６７】
（３）  さらに、音声発生器１０やランプとともに、あるいは音声発生器１０やランプに代えて、状態表示部３８に無礼な大人の利用客であることの警報メッセージを表示してもよい。
【００６８】
（４）  上記実施の形態では、図３にて自動改札装置の処理制御系について述べたが、処理制御部５１に通信部を設け、処理制御系の処理制御状態を上位の監視制御盤に送信し、自動改札装置の処理制御を監視できる構成であってもよい。
【００６９】
（５）  さらに、上記実施の形態では、１つの実施の形態例を提示したものであるが、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下、本願の出願当初の特許請求の範囲に記載された発明を付記する。
［Ｃ１］
装置本体の改札通路に沿って配列される通行位置検知用の位置検知センサ群及び前記装置本体の入口近傍、中央部及び出口近傍にそれぞれ設置される大人検知用の高さ検知センサと、
前記各高さ検知センサの設置位置と特定の前記位置検知センサとの対応関係を規定する大人判定位置データ記憶手段と、
前記利用客が前記特定の位置検知センサの設置位置を通過したとき、前記大人判定位置データ記憶手段に規定する対応関係を有する各高さ検知センサの出力から大人であるかを判定し、その判定結果から大人であり、かつ提示された媒体の不正、媒体の不提示などに基づき、無礼な大人の利用客であるかを判定する処理制御部とを備えた自動改札装置。
［Ｃ２］
［Ｃ１］に記載の自動改札装置において、
前記処理制御部は、所定のサンプリング周期ごとの前記位置検知センサの出力変化から利用客の通行を検知するともに、当該利用客が前記各特定の位置検知センサの設置位置を通過したとき、前記大人判定位置データ記憶手段に規定する対応関係を有する各高さ検知センサの出力から大人であるかを判定する大人判定手段と、大人の利用客と判定され、かつ当該利用客が提示された媒体の不正、媒体の不提示などに対して予め定めた無礼な判定ポイントに到達したとき、無礼な大人の利用客である判定する無礼客判定処理手段と、この無礼客判定処理手段で無礼な大人の利用客と判定されたとき、何れの前記高さ検知センサの出力から大人と判定されたかを確認し、出口側ドアの開閉制御を行うドア動作処理制御手段とを備えた自動改札装置。
［Ｃ３］
［Ｃ２］に記載の自動改札装置において、
前記ドア動作処理制御手段は、前記出口近傍に設置される前記高さ検知センサの出力から無礼な大人の利用客と判定されたとき、前記出口側ドアを閉めずに無礼な利用客であることを報知する報知手段をさらに設けた自動改札装置。
［Ｃ４］
［Ｃ２］に記載の自動改札装置において、
前記ドア動作処理制御手段は、前記入口近傍、前記中央部に設置される前記高さ検知センサの出力から無礼な大人の利用客と判定されたとき前記出口側ドアを閉制御し、前記入口近傍及び前記中央部に設置される前記高さ検知センサの出力から無礼な大人の利用客と判定されずに前記出口近傍の前記高さ検知センサの出力から無礼な大人の利用客と判定されたとき、出口側ドアを閉めずに無礼な大人の利用客であることを報知する報知手段をさらに設けた自動改札装置。
［Ｃ５］
［Ｃ３］または［Ｃ４］に記載の自動改札装置において、
前記報知手段は、下記の何れか１種類以上により無礼な大人の利用客であることを報知する自動改札装置。
（１）  予め定めた警報メッセージを音声発生器から出力する。
（２）  白色ランプまたは赤色ランプを点滅制御する。
（３）  状態表示部に不正者であることを表示する。
【符号の説明】
【００７０】
１…自動改札装置、２…装置本体、３…改札通路、４…投入口、５…シャッタ、６…取出口、７…アンテナ、８…案内表示部、９…ドア、１０…音声発生器、１１〜３６…位置検知センサ、１１ａ〜３６ａ…投光素子、１１ｂ〜３６ｂ…受光素子、３７…フレーム、３８…状態表示部、４１〜４３…高さ検知センサ、５１…処理制御部、５１ａ…大人判定手段、５１ｂ…無礼客判定処理手段、５１ｃ…ドア動作処理制御手段、５２…ＲＯＭ、５３…ＲＡＭ、５５…シャッタ制御部、５６…センサ監視部、５７…ドア開閉駆動部、５８…開閉制御部、５９…表示制御部、６０…音声出力制御部、６１…無線通信制御部、Ｃ…媒体の一種となる無線式カード。
【図１】
0005752543.tif 000002
【図２】
0005752543.tif 000003
【図３】
0005752543.tif 000004
【図４】
0005752543.tif 000005
【図５】
0005752543.tif 000006
【図６】
0005752543.tif 000007
【図７】
0005752543.tif 000008
【図８】
0005752543.tif 000009